(57)【特許請求の範囲】
【請求項１】
光源ユニットと、
前記光源ユニットに電源を供給する電源ユニットと、
前記光源ユニット及び前記電源ユニットを支持する器具本体とを備え、
前記光源ユニットは、一面が開口する箱形に形成された灯具本体、前記灯具本体の内部に収容される光源部、及び一端が前記光源部に電気的に接続され且つ他端が前記灯具本体の外側に引き出される一対のリード線をそれぞれ有する第１灯具並びに第２灯具と、前記第１灯具の前記灯具本体と前記第２灯具の前記灯具本体を連結する連結部とを具備し、
前記連結部は、前記第１灯具の前記灯具本体と前記第２灯具の前記灯具本体の間に設けられ、前記灯具本体の外側に引き出された前記一対のリード線を収容するように構成されていることを特徴とする照明器具。
【請求項２】
前記連結部は、前記光源ユニット及び前記電源ユニットを前記器具本体に支持させた状態において前記電源ユニットと対面する壁部を有し、
前記一対のリード線は、前記壁部を乗り越えさせることで前記連結部の外側に引き出され、前記電源ユニットに電気的に接続されることを特徴とする請求項１記載の照明器具。
【請求項３】
前記光源部は、給電用の第１電極及び第２電極を有し、
前記一対のリード線は、第１リード線及び第２リード線からなり、
前記第１灯具の前記光源部の前記第１電極と前記第２灯具の前記光源部の前記第２電極とが前記第１リード線により電気的に接続され、
前記第１灯具の前記光源部の前記第２電極と前記電源ユニットの第１出力端子とが前記第２リード線により電気的に接続され、
前記第２灯具の前記光源部の前記第１電極と前記電源ユニットの第２出力端子とが前記第２リード線により電気的に接続されることを特徴とする請求項１又は２記載の照明器具。
【請求項４】
前記第１灯具及び前記第２灯具は、前記灯具本体の開口を塞ぐようにして前記灯具本体に取り付けられる透光パネル及び防水部材をそれぞれ有し、
前記灯具本体は、開口面に連続するようにして形成され前記一対のリード線が差し込まれる溝部を有し、
前記透光パネル及び前記防水部材は、前記溝部を塞ぐようにして前記灯具本体に取り付けられることを特徴とする請求項１〜３の何れか１項に記載の照明器具。
【発明の詳細な説明】
【技術分野】
【０００１】
本発明は、照明器具に関し、より詳細には、それぞれ光源を有する複数の灯具で構成された照明器具に関する。
【背景技術】
【０００２】
従来、体育館や工場などの天井に取り付けられる高天井用の照明器具が提供されている（例えば特許文献１参照）。特許文献１に記載された照明器具は、それぞれ光源を有する４つの灯具と、４つの灯具に対してそれぞれ電源を供給する４つの電源ユニットと、４つの灯具及び４つの電源ユニットを支持する器具本体とを備える。
【０００３】
器具本体は、円形の底板と、底板の周縁より上向きに突出する周壁とで上面が開口する扁平な箱形に形成され、底板に設けられた４つの窓孔をそれぞれ塞ぐようにして４つの灯具が底板に固定される。また、底板に固定された４つの灯具の近傍には電源ユニットがそれぞれ配置されており、対応する灯具と電源ユニットとが給電線により電気的に接続されている。
【先行技術文献】
【特許文献】
【０００４】
【特許文献１】特開２０１４−２６８０４号公報
【発明の概要】
【発明が解決しようとする課題】
【０００５】
ところで、上述の特許文献１に示した照明器具では、対応する灯具と電源ユニットとを給電線により接続する作業を４回行わなければならず、作業に要する時間が長くなっていた。
【０００６】
そこで、作業時間を短縮するために、隣り合う２つの灯具を一体化し且つ一体化した２つの灯具の光源を直列に接続して１系統にまとめる方法が考えられる。この場合、一体化した２つの灯具と電源ユニットとを給電線により接続する作業を２回行えばよいため、作業時間の短縮が可能であるが、１系統にまとめた給電線の引き回しによっては作業時間が短縮できない可能性があった。
【０００７】
本発明は上記問題点に鑑みてなされており、作業性を向上させた照明器具を提供することを目的とする。
【課題を解決するための手段】
【０００８】
本発明の照明器具は、光源ユニットと、前記光源ユニットに電源を供給する電源ユニットと、前記光源ユニット及び前記電源ユニットを支持する器具本体とを備え、前記光源ユニットは、一面が開口する箱形に形成された灯具本体、前記灯具本体の内部に収容される光源部、及び一端が前記光源部に電気的に接続され且つ他端が前記灯具本体の外側に引き出される一対のリード線をそれぞれ有する第１灯具並びに第２灯具と、前記第１灯具の前記灯具本体と前記第２灯具の前記灯具本体を連結する連結部とを具備し、前記連結部は、前記第１灯具の前記灯具本体と前記第２灯具の前記灯具本体の間に設けられ、前記灯具本体の外側に引き出された前記一対のリード線を収容するように構成されていることを特徴とする。
【発明の効果】
【０００９】
本発明の構成によれば、作業性を向上させた照明器具を提供することができるという効果がある。
【図面の簡単な説明】
【００１０】
【図１】本発明の実施形態に係る照明器具に用いられる光源ユニットの断面図である。
【図２】本発明の実施形態に係る照明器具に用いられる光源ユニットの全体斜視図である。
【図３】本発明の実施形態に係る照明器具に用いられる光源ユニットの上面図である。
【図４】本発明の実施形態に係る照明器具に用いられる光源ユニットの一部省略せる下面図である。
【図５】本発明の実施形態に係る照明器具の全体斜視図である。
【図６】本発明の実施形態に係る照明器具の正面図である。
【図７】本発明の実施形態に係る照明器具の一部省略せる上面図である。
【図８】本発明の実施形態に係る照明器具の上面図である。
【図９】本発明の実施形態に係る照明器具の下面図である。
【発明を実施するための形態】
【００１１】
本発明の実施形態に係る照明器具について、図面を参照しながら具体的に説明する。ただし、以下に説明する構成は、本発明の一例に過ぎず、本発明は下記の実施形態に限定されない。したがって、この実施形態以外であっても、本発明に係る技術思想を逸脱しない範囲であれば、設計等に応じて種々の変更が可能である。
【００１２】
本実施形態の照明器具は、例えば体育館や工場などの天井に取り付けられる高天井用の照明器具である。この照明器具は、図５に示すように、２つの光源ユニット１と、電源ユニット２と、器具本体３と、取付金具４とを備える。
【００１３】
光源ユニット１は、図１〜図４に示すように、第１灯具１０Ａと、第２灯具１０Ｂと、第１灯具１０Ａ及び第２灯具１０Ｂを連結する連結部１１とを具備する。
【００１４】
第１灯具１０Ａ及び第２灯具１０Ｂは、灯具本体１０１と、光源部１０２と、配光部１０３と、一対のリード線１０４とをそれぞれ有する。
【００１５】
灯具本体１０１は、図１及び図２に示すように、収納部１０１１と、枠部１０１２と、複数の放熱板１０１３とがアルミ又はアルミ合金により一体に形成されている。収納部１０１１は、下面が開口する箱形に形成されている。枠部１０１２は、扁平な円筒形であって、収納部１０１１の下端に連結されている。また、各放熱板１０１３は、収納部１０１１の天面より上向きに突出している。
【００１６】
収納部１０１１の内底面には、内底面と直交する方向に突出し且つ矩形枠状に形成された位置決め部が設けられており、この位置決め部により収納部１０１１に対して光源部１０２が位置決めされる。
【００１７】
枠部１０１２の内周面には、半円柱状に形成された３つの突起が周方向に沿って等間隔の位置に設けられている。また、枠部１０１２の外周面には、略三角形状で且つ中央に貫通孔１０１４Ａを有する固定片１０１４が設けられている。
【００１８】
放熱板１０１３は、矩形板状であって、厚み方向に沿って隣り合う放熱板１０１３同士の間隔が略一定となるように配置されている（図３参照）。また、隣り合う放熱板１０１３同士は連結部１０１３Ａ（図３参照）により連結されており、すべての放熱板１０１３が熱的に結合している。
【００１９】
光源部１０２は、図４に示すように、セラミックス製の基板１０２１と、基板１０２１の表面に形成された光源１０２２と、基板１０２１に実装された第１電極１０２３Ａ及び第２電極１０２３Ｂと、基板１０２１を保持するホルダー１０２４とを有する。
【００２０】
光源１０２２は、基板１０２１に実装される複数個の発光ダイオード（ＬＥＤ）チップと、透光性を有し且つ蛍光材料が混合された合成樹脂（例えばシリコーン樹脂）製の封止部材とで構成される。すなわち、ＬＥＤチップから放射される光（例えば、青色光）の一部が蛍光材料で波長変換され、波長変換された光（例えば、黄色光）と波長変換されなかった光（青色光）が混ざることにより、光源１０２２から放射される光が全体として白色光となる。
【００２１】
なお、第１電極１０２３Ａ及び第２電極１０２３Ｂと複数個のＬＥＤチップの間は、基板１０２１の表面に形成された導体により電気的に接続されている。
【００２２】
ホルダー１０２４は、例えば合成樹脂からなる成形品であって、カバー１０２４Ａとベース１０２４Ｂとで構成されており、カバー１０２４Ａとベース１０２４Ｂとの間に挟み込むことで基板１０２１を保持する。カバー１０２４Ａの略中央には円形の開口部１０２５が設けられており、基板１０２１をホルダー１０２４に組み付けた状態では光源１０２２が開口部１０２５に臨んでいる。
【００２３】
基板１０２１が組み付けられたホルダー１０２４は、灯具本体１０１の収納部１０１１の内底面に設けられた上記位置決め部により位置決めされ、３つの固定ねじ１０２６により収納部１０１１の内底面に固定される。
【００２４】
配光部１０３は、図１に示すように、反射部材１０３１と、透光パネル１０３２と、防水部材１０３３とを有する。
【００２５】
反射部材１０３１は、両端が開口した円錐台形状に形成された反射部１０３１Ａと、反射部１０３１Ａの出射側（下側）の開口縁から外向きに突出する円環状の外鍔部１０３１Ｂとが金属製の板材により一体に形成されている。反射部１０３１Ａは、一端側（上側）の開口から入射される光源１０２２の光を内周面で反射し、他端側（下側）の開口から出射させる。これにより、光源１０２２から放射される光の配光（照射範囲）を制御することができる。
【００２６】
透光パネル１０３２は、アクリル樹脂やポリカーボネイト樹脂、あるいはガラスなどの透光性材料によって円板状に形成されている。
【００２７】
防水部材１０３３は、円環状に形成された一対の当接部１０３３Ａ，１０３３Ｂと、各当接部１０３３Ａ，１０３３Ｂの外周縁同士を連結する連結部１０３３Ｃとがシリコーン樹脂などの弾性を有する材料によって一体に形成されている。ここで、連結部１０３３Ｃで連結された当接部１０３３Ａ，１０３３Ｂの間には、反射部材１０３１の外鍔部１０３１Ｂの厚みと透光パネル１０３２の厚みとを足し合わせた寸法よりもわずかに小さい寸法の隙間が形成されている。
【００２８】
而して、防水部材１０３３は、外鍔部１０３１Ｂと透光パネル１０３２とを重ね合わせた状態で両者の周縁部を上記隙間に嵌め込むことにより、外鍔部１０３１Ｂ及び透光パネル１０３２の周辺部位を一対の当接部１０３３Ａ，１０３３Ｂで厚み方向から挟持する。その結果、反射部材１０３１と透光パネル１０３２とが防水部材１０３３により固定される。
【００２９】
そして、配光部１０３は、図１に示すように、反射部材１０３１の反射部１０３１Ａを収納部１０１１内に収納し、且つ外鍔部１０３１Ｂ、透光パネル１０３２及び防水部材１０３３を枠部１０１２内に収納するようにして灯具本体１０１に組み付けられる。ここで、枠部１０１２内に収納された防水部材１０３３が、枠部１０１２の内周面に設けられた上記３つの突起と圧接することにより、配光部１０３が灯具本体１０１に対して抜け止めされる。
【００３０】
連結部１１は、第１灯具１０Ａの灯具本体１０１と第２灯具１０Ｂの灯具本体１０１とを連結するようにして、アルミ又はアルミ合金により両灯具本体１０１，１０１と一体に形成されている。この連結部１１は、第１灯具１０Ａの灯具本体１０１と第２灯具１０Ｂの灯具本体１０１の間に設けられた一対の壁部１１１，１１２を有し、これらの壁部１１１，１１２と各灯具本体１０１の側壁部とで囲まれる空間を配線収容部１２（図４参照）として利用する。
【００３１】
壁部１１１は、光源ユニット１及び電源ユニット２を器具本体３に支持させた状態において電源ユニット２と対面するように配置される。この壁部１１１には、図２に示すように、一対の縦溝１１１１が設けられており、配線収容部１２に収容されたリード線を縦溝１１１１に差し込むことにより、上記リード線を配線収容部１２の外側に引き出すことができる。
【００３２】
また、壁部１１２には、図３及び図４に示すように、略三角形状で且つ中央に貫通孔１０２１Ａを有する固定片１１２１が設けられている。したがって、本実施形態の照明器具では、各灯具本体１０１に設けられた２つの固定片１０１４と壁部１１２に設けられた固定片１１２１により光源ユニット１が器具本体３にねじ固定される。
【００３３】
図４は、第１灯具１０Ａの光源部１０２及び第２灯具１０Ｂの光源部１０２よりそれぞれ引き出される一対のリード線１０４の配線状態を示す平面図である。一対のリード線１０４は、図４に示すように、第１リード線１０４１及び第２リード線１０４２からなる。
【００３４】
第１リード線１０４１は、第１灯具１０Ａの光源部１０２の第１電極１０２３Ａと、第２灯具１０Ｂの光源部１０２の第２電極１０２３Ｂを電気的に接続する。一方の第２リード線１０４２は、第１灯具１０Ａの光源部１０２の第２電極１０２３Ｂと電源ユニット２の第１出力端子を電気的に接続する。また、他方の第２リード線１０４２は、第２灯具１０Ｂの光源部１０２の第１電極１０２３Ａと電源ユニット２の第２出力端子を電気的に接続する。
【００３５】
すなわち、本実施形態では、各光源部１０２より引き出される第１リード線１０４１を１本の第１リード線１０４１で兼用しており、これにより第１灯具１０Ａ及び第２灯具１０Ｂからは２本の第２リード線１０４２のみが引き出される。そして、第１灯具１０Ａ及び第２灯具１０Ｂよりそれぞれ引き出された第２リード線１０４２を、連結部１１の壁部１１１に設けられた一対の縦溝１１１１にそれぞれ差し込むことで、第２リード線１０４２を配線収容部１２の外側に引き出すことができる。
【００３６】
なお、第１リード線１０４１及び第２リード線１０４２の余長分は配線収容部１２内に収容することができる。
【００３７】
また、各灯具本体１０１の枠部１０１２における配線収容部１２側には、開口面から連続するようにして形成された一対の縦溝１０１２Ａ（溝部）が設けられている（図４参照）。そして、一対のリード線１０４（第１リード線１０４１及び第２リード線１０４２）を対応する縦溝１０１２Ａにそれぞれ差し込むことで、一対のリード線１０４を灯具本体１０１の外側に引き出すことができる。
【００３８】
また、一対のリード線１０４を灯具本体１０１より引き出した後、枠部１０１２の開口面を塞ぐようにして配光部１０３を灯具本体１０１に取り付けると、防水部材１０３３の連結部１０３３Ｃにより縦溝１０１２Ａが塞がれる。このように、縦溝１０１２Ａを塞ぐ部材として防水部材１０３３を兼用することで、ゴムブッシュ等の部材が不要であり、コストを削減することができる。
【００３９】
電源ユニット２は、図５及び図６に示すように、ケース２１と、第１端子台２２と、第２端子台２３と、電源装置とを具備する。
【００４０】
ケース２１は、金属製の板材により箱形に形成され、ケース本体２１１と、側板２１２とを有する。ケース本体２１１は、互いに対向する一対の側壁部２１１１と、一対の側壁部２１１１同士を連結する後壁部と、後壁部の上端から後壁部と直交する方向に突出する上壁部２１１２とで構成される。側板２１２は、横長の矩形板状であって、ケース本体２１１の前側の開口を塞ぐようにしてケース本体２１１にねじ固定される。
【００４１】
各側壁部２１１１の下端には、外向きに突出し且つ２個１組の貫通孔２１１３Ａを有する固定片２１１３が一体に設けられている。また、上壁部２１１２には、内部に収納される電源装置で発生する熱を逃がすための複数の放熱孔２１１２Ａが横並びに設けられている。
【００４２】
電源装置は、外部より供給される交流電力を直流電力に変換する電力変換回路を有し、変換した直流電力を各光源ユニット１へ供給する。なお、この電源装置は、ケース２１の後壁部にねじ固定された状態でケース２１の内部に収納される。
【００４３】
第１端子台２２は、直方体状に形成された本体部２２１を有し、本体部２２１の一面には、外部からの電源線が挿通される複数の挿通孔２２１１が設けられている。また、本体部２２１の内部には、挿通孔２２１１に挿通された電源線が電気的に接続される速結端子構造の接続端子が、挿通孔２２１１に臨むようにして収納されている。
【００４４】
この第１端子台２２は、ケース２１を構成する側板２１２に取り付けられ、電源装置の電源入力端子との間が電気的に接続される。その結果、第１端子台２２を介して上記電源線より供給される交流電力が電源装置に入力され、直流電力が生成される。
【００４５】
第２端子台２３は、第１端子台２２と同様に、直方体状に形成された本体部２３１を有し、本体部２３１の側面には、外部機器（例えば調光器）からの信号線が挿通される一対の挿通孔２３１１が２組設けられている。また、本体部２３１の内部には、挿通孔２３１１に挿通された信号線が電気的に接続される速結端子構造の接続端子が、挿通孔２３１１に臨むようにして収納されている。
【００４６】
この第２端子台２３は、側板２１２において第１端子台２２と並べて取り付けられ、電源装置の信号入力端子との間が電気的に接続される。その結果、第２端子台２３を介して調光器の調光信号が電源装置に入力され、この調光信号に応じた大きさの電圧値となるように電力変換回路が制御される。
【００４７】
また、この電源装置の第１出力端子及び第２出力端子には、図７に示すように、各光源ユニット１より引き出された２本の第２リード線１０４２がそれぞれ接続される速結端子構造のコネクタ３４が電気的に接続されている。そして、各光源ユニット１より引き出された２本の第２リード線１０４２を対応するコネクタ３４に接続することにより、コネクタ３４を介して各光源ユニット１と電源ユニット２とが電気的に接続される。
【００４８】
器具本体３は、図５〜図９に示すように、円板状に形成された底壁部３１と、底壁部３１の周縁より上向きに突出する側壁部３２と、取付金具４が取り付けられる一対の取付台３３とが、アルミ又はアルミ合金により一体に形成されている。
【００４９】
底壁部３１には、図９に示すように、４つの窓孔３１１が貫通しており、各窓孔３１１の周囲にはそれぞれ３つのボス部が等間隔に設けられている。また、隣接する２つの窓孔３１１の間にはボス部３１２が設けられている。
【００５０】
そして、第１灯具１０Ａ及び第２灯具１０Ｂにそれぞれ設けられた固定片１０１４の貫通孔１０１４Ａに挿通させた固定ねじ３１４を対応するボス部にねじ込むとともに、固定片１１２１の貫通孔１１２１Ａに挿通させた固定ねじ３１４をボス部３１２にねじ込む。これにより、光源ユニット１が器具本体３にねじ固定される。
【００５１】
また、底壁部３１には、電源ユニット２のケース２１の固定片２１１３がねじ固定される複数のボス部３１３が設けられている。そして、各ボス部３１３の上面に固定片２１１３を載置し、固定片２１１３に設けられた貫通孔２１１３Ａに挿通させた固定ねじ３１５をボス部３１３にねじ込むことで、ケース２１が器具本体３の底壁部３１にねじ固定される。
【００５２】
一対の取付台３３は、直方体状であって、底壁部３１上面の周縁部において底壁部３１の径方向に沿って対向する位置にそれぞれ設けられている。各取付台３３は、外側面にねじ孔（図示せず）が形成されている。なお、本実施形態では、各取付台３３と干渉しないように側壁部３２の一部が切り欠かれている。
【００５３】
取付金具４は、長尺の金属板を折り曲げ加工することによりＵ字状に形成され、天井などの造営面に取り付けられる取付部４１と、取付部４１の両端から下向きに突出し器具本体３を支持する一対の支持部４２とを有する。各支持部４２の先端側には、厚み方向に貫通し固定ボルト５が挿通される貫通孔が設けられている。そして、各支持部４２の貫通孔に挿通させた固定ボルト５を器具本体３の取付台３３のねじ孔にねじ込むことで、取付金具４が器具本体３に固定される。
【００５４】
本実施形態の照明器具によれば、第１灯具１０Ａの灯具本体１０１と第２灯具１０Ｂの灯具本体１０１の間を通して一対のリード線１０４を電源ユニット２側へ引き出すことができる。これにより、一対のリード線１０４を灯具本体１０１の外側を回して電源ユニット２側へ引き出す場合に比べて作業時間を短縮でき、作業性が向上する。
【００５５】
また、本実施形態の照明器具のように、電源ユニット２と対面する壁部１１１に一対の縦溝１１１１を設けた場合には、一対のリード線１０４を一対の縦溝１１１１にそれぞれ差し込むだけで連結部１１の外側へ引き出すことができる。これにより、壁部１１１に貫通孔を設け、この貫通孔を通して一対のリード線１０４を連結部１１の外側へ引き出す場合に比べて作業時間を短縮でき、作業性がさらに向上する。
【００５６】
また、本実施形態の照明器具のように、第１灯具１０Ａの光源部１０２と第２灯具１０Ｂの光源部１０２とを直列に接続することで、光源ユニット１より引き出されるリード線１０４２を２本に減らすことができる。これにより、第１灯具１０Ａ及び第２灯具１０Ｂよりそれぞれ２本のリード線１０４１，１０４２を引き出す場合に比べて作業時間を短縮でき、作業性がさらに向上する。
【００５７】
また、本実施形態の照明器具のように、透光パネル１０３２及び防水部材１０３３により灯具本体１０１の開口面を塞ぐことで縦溝１０１２Ａも同時に塞ぐことができ、これにより気密性を確保することができる。また、縦溝１０１２Ａを塞ぐ部材として透光パネル１０３２及び防水部材１０３３を兼用しており、ゴムブッシュ等の部材が不要であることから、コストを削減することができる。さらに、縦溝１０１２Ａに差し込まれた一対のリード線１０４を透光パネル１０３２及び防水部材１０３３により保持できることから、張力止めが不要になる。
【００５８】
なお、本実施形態では、本発明の技術思想を高天井用の照明器具に適用したが、本発明の技術思想を適用可能な照明器具は高天井用の照明器具に限らず、他の照明器具に適用してもよい。また、本実施形態では、連結部１１の壁部１１１に一対の縦溝１１１１を設けたが、壁部１１１を乗り越えられるようになっていれば、縦溝１１１１は設けなくてもよい。さらに、壁部１１１に設ける縦溝１１１１を１つとし、この縦溝１１１１に２本の第２リード線１０４２を差し込むようにしてもよい。
【００５９】
以上説明したように、本実施形態の照明器具は、光源ユニット１と、光源ユニット１に電源を供給する電源ユニット２と、光源ユニット１及び電源ユニット２を支持する器具本体３とを備える。光源ユニット１は、灯具本体１０１、光源部１０２及び一対のリード線１０４をそれぞれ有する第１灯具１０Ａ並びに第２灯具１０Ｂと、第１灯具１０Ａの灯具本体１０１と第２灯具１０Ｂの灯具本体１０１を連結する連結部１１とを具備する。灯具本体１０１は、一面が開口する箱形に形成されている。光源部１０２は、灯具本体１０１の内部に収容される。一対のリード線１０４は、一端が光源部１０２に電気的に接続され且つ他端が灯具本体１０１の外側に引き出される。連結部１１は、第１灯具１０Ａの灯具本体１０１と第２灯具１０Ｂの灯具本体１０１の間に設けられ、灯具本体１０１の外側に引き出された一対のリード線１０４を収容するように構成されている。
【００６０】
上記構成によれば、第１灯具１０Ａの灯具本体１０１と第２灯具１０Ｂの灯具本体１０１の間を通して一対のリード線１０４を電源ユニット２側へ引き出すことができる。これにより、一対のリード線１０４を灯具本体１０１の外側を回して電源ユニット２側へ引き出す場合に比べて作業時間を短縮でき、作業性が向上する。
【００６１】
また、本実施形態の照明器具のように、連結部１１は、光源ユニット１及び電源ユニット２を器具本体３に支持させた状態において電源ユニット２と対面する壁部１１１を有しているのが好ましい。この場合、一対のリード線１０４は、壁部１１１を乗り越えさせることで連結部１１の外側に引き出され、電源ユニット２に電気的に接続される。
【００６２】
上記構成によれば、壁部１１１を乗り越えさせるだけで一対のリード線１０４を連結部１１の外側へ引き出すことができる。これにより、壁部１１１に設けられた貫通孔を通して一対のリード線１０４を連結部１１の外側へ引き出す場合に比べて作業時間を短縮でき、作業性がさらに向上する。
【００６３】
また、本実施形態の照明器具のように、光源部１０２は、給電用の第１電極１０２３Ａ及び第２電極１０２３Ｂを有し、一対のリード線１０４は、第１リード線１０４１及び第２リード線１０４２からなるのが好ましい。この場合、第１灯具１０Ａの光源部１０２の第１電極１０２３Ａと第２灯具１０Ｂの光源部１０２の第２電極１０２３Ｂとが第１リード線１０４１により電気的に接続される。また、第１灯具１０Ａの光源部１０２の第２電極１０２３Ｂと電源ユニット２の第１出力端子とが第２リード線１０４２により電気的に接続される。さらに、第２灯具１０Ｂの光源部１０２の第１電極１０２３Ａと電源ユニット２の第２出力端子とが第２リード線１０４２により電気的に接続される。
【００６４】
上記構成によれば、光源ユニット１より引き出された２本の第２リード線１０４２を電源ユニット２に接続するだけでよい。これにより、第１灯具１０Ａ及び第２灯具１０Ｂよりそれぞれ一対のリード線１０４を引き出して電源ユニット２に接続する場合に比べて作業時間を短縮でき、作業性がさらに向上する。
【００６５】
また、本実施形態の照明器具のように、第１灯具１０Ａ及び第２灯具１０Ｂは、灯具本体１０１の開口を塞ぐようにして灯具本体１０１に取り付けられる透光パネル１０３２及び防水部材１０３３をそれぞれ有しているのが好ましい。また、灯具本体１０１は、開口面に連続するようにして形成され一対のリード線１０４が差し込まれる縦溝１０１２Ａ（溝部）を有しているのが好ましい。この場合、透光パネル１０３２及び防水部材１０３３は、縦溝１０１２Ａを塞ぐようにして灯具本体１０１に取り付けられる。
【００６６】
上記構成によれば、透光パネル１０３２及び防水部材１０３３により灯具本体１０１の開口面を塞ぐことで縦溝１０１２Ａも同時に塞ぐことができ、これにより気密性を確保することができる。また、縦溝１０１２Ａを塞ぐ部材として透光パネル１０３２及び防水部材１０３３を兼用しており、ゴムブッシュ等の部材が不要であることから、コストを削減することができる。さらに、縦溝１０１２Ａに差し込まれた一対のリード線１０４を透光パネル１０３２及び防水部材１０３３により保持できることから、張力止めが不要になる。
【符号の説明】
【００６７】
１  光源ユニット
２  電源ユニット
３  器具本体
１０Ａ  第１灯具
１０Ｂ  第２灯具
１１  連結部
１０１  灯具本体
１０２  光源部
１０４  リード線
１１１  壁部
１０１２Ａ  縦溝（溝部）
１０２３Ａ  第１電極
１０２３Ｂ  第２電極
１０３２  透光パネル
１０３３  防水部材
１０４１  第１リード線（リード線）
１０４２  第２リード線（リード線）
【図１】
0006436415.tif 000002
【図２】
0006436415.tif 000003
【図３】
0006436415.tif 000004
【図４】
0006436415.tif 000005
【図５】
0006436415.tif 000006
【図６】
0006436415.tif 000007
【図７】
0006436415.tif 000008
【図８】
0006436415.tif 000009
【図９】
0006436415.tif 000010